(57)【要約】【課題】基板ケース自体の開放を困難な構造にすることで、不正行為を防止することが可能な遊技機を提供する。【解決手段】基板カバーを基台に固定するための固定ネジが挿通されるネジ孔を内部に有する筒体部と、筒体部の内筒穴を封止する封止キャップと、を備え、内筒穴の内周面には、複数の被係合部が形成され、封止キャップの裏面側には、複数の被係合部のそれぞれに係合する複数の係合部を有する脚部が形成され、封止キャップは、内筒穴に嵌合する円筒状の補強部を有し、脚部は補強部から延設されており、補強部には、封止キャップの上面をなす天板部が設けられ、天板部は、補強部よりも大径である。【選択図】図９
2018061911.tif 000002
【特許請求の範囲】
【請求項１】
基板と、前記基板を覆う基板カバーと、を備えた遊技機であって、
前記基板カバーを基台に固定するための固定ネジが挿通されるネジ孔を内部に有する筒体部と、
前記筒体部の内筒穴を封止する封止キャップと、を備え、
前記内筒穴の内周面には、複数の被係合部が形成され、
前記封止キャップの裏面側には、前記複数の被係合部のそれぞれに係合する複数の係合部を有する脚部が形成され、
前記封止キャップは、前記内筒穴に嵌合する円筒状の補強部を有し、
前記脚部は前記補強部から延設されており、
前記補強部には、前記封止キャップの上面をなす天板部が設けられ、
前記天板部は、前記補強部よりも大径であることを特徴とする遊技機。
【請求項２】
前記基板カバーの色と前記天板部の色とを異ならせたことを特徴とする請求項１に記載の遊技機。
【発明の詳細な説明】
【技術分野】
【０００１】
本発明は、パチンコ機やパチスロ等の遊技機に関する。
【背景技術】
【０００２】
従来、パチスロ機やパチンコ機等の遊技機では、基本となる遊技状態の「一般遊技状態」と、所定の条件を満たしたこと又は抽選結果等に基づいて遊技者にとって有利となる複数種類の「特別遊技状態」とが設定されている。そして、これらの種々の遊技状態に応じて、装飾ランプや液晶表示装置、又は音声発生装置等を用いた演出が実行されるように構成されている。
【０００３】
これらの各遊技状態の決定や、演出の実行を実現するために、遊技機の内部には、主に遊技状態の設定や遊技処理動作を制御する主制御回路基板と、主制御回路基板から送信される制御信号に基づいて光、映像又は音声による演出を実現するための副制御回路基板が搭載されている。
【０００４】
このような従来のパチスロ機において、遊技機の筐体内に設置された主制御回路基板や外部集中端子板、及び前面扉に設置された副制御回路基板やドア中継基板、及び遊技場のホールコンピュータ等は、多数の配線が束になった電気ケーブルによって電気的に接続されており、必要な信号の送受信を行っている。
【０００５】
しかし、このような遊技機では、前面扉の隙間や、不正に開放した扉から、例えば、電気ケーブルに対して不正な信号を加えたり、電磁波によって誤動作を引き起こしたりする等の不正行為が行われる場合がある。
【０００６】
最近では、電気ケーブルを用いる代わりに、光ファイバーケーブルにより接続した構成が採用されている。光ファイバーケーブルを用いることにより、不正な信号を加えたり電磁波を用いたりする不正行為を確実に防止することができる。また、光ファイバーケーブルを用いることによって、遊技機内の電気ケーブルを大幅に減少させることができるため、放熱による基板の故障や電線の断線や接続不良等の故障の発生率を低下させることができる。
【０００７】
光ファイバーケーブルを用いた遊技機では、基板間の通信として光通信による信号伝達が行われることになる。そして、光ファイバーケーブルを通じて他の基板からの光信号を受信した基板では、受信した光信号を電気信号に変換し、変換した電気信号を用いて各種処理を行う。
【０００８】
しかしながら、基板間の通信に光通信を採用した遊技機では、中継基板上で受信した光信号を電気信号に変換することになるので、光信号を受信した中継基板に対して電気・電子機器系統の誤作動を誘発させるなどのゴト行為による不正行為が行われた場合には、これを防止することができなかった。例えば、不正用の特殊器具や特殊ケーブル等を、光信号を受信した中継基板（特に、基板上のコネクタ周辺）に直接侵入された場合には、電気・電子機器系統の誤作動を誘発するなどのゴト行為が行われてしまい、不正行為を防止することができなかった。
【０００９】
このような電気・電子機器系統の誤作動を誘発する等のゴト行為による不正行為を防止することができる遊技機として、本出願人は既に遊技機（特許文献１参照）を提案している。
【００１０】
特許文献１に記載された発明では、サブ中継基板ケースの開口部の所定の位置に、開口部の上半部を塞ぐ侵入防止部材を装着した構成になっている。即ち、サブ中継基板のサブ中継基板ケースに、サブ中継基板ケースが閉じた状態でサブ中継基板ケースと光ファイバーケーブルとの間に形成される隙間を埋める形で侵入防止部材を設けた構成になっている。
【００１１】
仮に、開口部を通じて不正を行うため、第三者が不正用の特殊ワイヤーを、サブ中継基板ケースの内部に配設されたサブ中継基板の位置まで挿入しようとした場合であっても、隙間を塞いでいる侵入防止部材によって、特殊ワイヤーの侵入を確実に阻止することができる。
【００１２】
また、侵入防止部材とサブ中継基板ケースとの間の構成として、互いの取り付け位置を規制する封印シールを設けた構成になっている。そして、封印シールの貼着状態を確認することによって、開口部の光ファイバーケーブルとの間の隙間に装着した侵入防止部材の取り付け位置がズレたり、侵入防止部材が開口部から取り外されたことを確認することができる。そして、繰り返し不正行為が行われるのを防止することが可能となる。
【先行技術文献】
【特許文献】
【００１３】
【特許文献１】特開２０１２−２４５２８０号公報
【発明の概要】
【発明が解決しようとする課題】
【００１４】
しかし、特許文献１に記載された遊技機の発明で用いている封印シールは、封印シールの貼着状態を確認することによって事後的に不正行為が行われたことを知ることはできるものの、封印シールは簡単に剥離させることができてしまうため、直接的に不正行為を防止する手段とは成り得ていなかった。
【００１５】
本発明は、上記課題を解決するためになされたものであり、特に、基板を収納している基板カバー（基板ケース）自体の開放を困難な構造にすることで、不正行為を防止することが可能な遊技機の提供を目的とする。
【課題を解決するための手段】
【００１６】
上記課題を解決するために、本発明に係る遊技機は、基板と、前記基板を覆う基板カバーと、を備えた遊技機であって、前記基板カバーを基台に固定するための固定ネジが挿通されるネジ孔を内部に有する筒体部と、前記筒体部の内筒穴を封止する封止キャップと、を備え、前記内筒穴の内周面には、複数の被係合部が形成され、前記封止キャップの裏面側には、前記複数の被係合部のそれぞれに係合する複数の係合部を有する脚部が形成され、前記封止キャップは、前記内筒穴に嵌合する円筒状の補強部を有し、前記脚部は前記補強部から延設されており、前記補強部には、前記封止キャップの上面をなす天板部が設けられ、前記天板部は、前記補強部よりも大径であることを特徴とする。
また、本発明に係る遊技機は、前記基板カバーの色と前記天板部の色とを異ならせたことを特徴とする。
【００１７】
本発明は、このように構成されているので、封止キャップを不正に取り外すことが難しくなり、不正に取り外しを行うことができた場合であっても、取り外しには時間を要することになる。不正行為を行う者は、不正行為を短時間で終わらせるようにしているので、不正行為に時間を要することは、不正行為の抑止効果を大いに高めることができる。
【００１８】
また、本発明では、前記基台上には、前記基板カバーの前記筒体部と他の基板カバーが互いに隣接して配置されており、前記筒体部と他の基板カバーとの間に形成される狭窄空間側に、前記被係合部の少なくとも一つが形成されていることを特徴としてもよい。このように構成しておくことにより、筒体部の破壊が行い難い構成にしておくことができる。
【発明の効果】
【００１９】
本発明によれば、基板カバーを基台に固定している固定ネジを封止キャップで覆い隠しておくことができる。しかも、封止キャップを不正に取り外すことが難しくなり、不正に取り外しを行うことができた場合であっても、取り外しには時間を要することになる。不正行為を行う者は、不正行為を短時間で終わらせるようにしているので、不正行為に時間を要することは、不正行為の抑止効果を大いに高めることができる。
【図面の簡単な説明】
【００２０】
【図１】本実施形態に係る遊技機における機能フローを説明する説明図である。
【図２】本実施形態に係る遊技機のフロントドアの斜視図である。
【図３】本実施形態に係るフロントドアの裏面側の配置構成図である。
【図４】本実施形態に係る遊技機の各基板の配置構成図である。
【図５】本実施形態に係る副制御基板ケースの斜視図である。
【図６】図５において、封止キャップ及び封印バンドを外した状態を示す斜視図である。
【図７】図５において、中継基板カバーを外した状態を示す斜視図である。
【図８】本実施形態に係る中継基板カバーを拡大した斜視図である。
【図９】本実施形態に係る封止キャップの斜視図である。
【図１０】本実施形態に係る封印バンドの断面図である。
【発明を実施するための形態】
【００２１】
本発明に係る遊技機の実施形態について、以下図面を参照しながら説明する。なお、本実施形態ではパチスロ機を例に説明するが、これに限定されず、パチンコ機等のその他の遊技機に適用することも可能である。
【００２２】
［機能フロー］
はじめに、図１を参照して、遊技機の実施の形態に係る機能フローについて説明する。本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００２３】
遊技者によりメダルが投入され、スタートレバーが操作されると、予め定められた数値の範囲（例えば、０〜６５５３５）の乱数から１つの値（以下、乱数値）が抽出される。
【００２４】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２５】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２６】
パチスロでは、基本的に、ストップボタンが押されたときから規定時間（１９０ｍｓｅｃ）内に、該当するリールの回転を停止する制御が行われる。本実施の形態では、上記規定時間内にリールの回転に伴って移動する図柄の数を「滑り駒数」と呼び、その最大数を図柄４個分に定める。
【００２７】
リール停止制御手段は、入賞に係る図柄の組合せの表示を許可する内部当籤役が決定されているときは、上記規定時間を利用して、その図柄の組合せが入賞判定ラインに沿って極力表示されるようにリールの回転を停止する。また、リール停止制御手段は、上記規定時間を利用して、内部当籤役によってその表示が許可されていない図柄の組合せが入賞判定ラインに沿って表示されないようにリールの回転を停止する。
【００２８】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞に係るものであるとの判定が行われると、メダルの払い出し等の特典が遊技者に与えられる。以上のような一連の流れがパチスロにおける１回の遊技として行われる。
【００２９】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００３０】
スタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００３１】
演出内容が決定されると、演出実行手段は、リールの回転が開始されるとき、各リールの回転がそれぞれ停止されるとき、入賞の有無の判定が行われたとき等の各契機に連動させて演出の実行を進める。この演出実行手段は、後述する副制御回路が担う。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００３２】
［外観構造］
図２は、本実施形態に係るパチスロ機１のフロントドア２を示す斜視図である。パチスロ機１は、リールや回路基板等を収容する図示せぬ筐体と、筐体に対して開閉可能に取り付けられるフロントドア２とを備える。筐体の内部には、３つのリールが横並びに設けられている。各リールは、円筒状のフレームの周面に、複数の図柄（例えば２１個）が回転方向に沿って連続的に配された帯状のシートを貼り付けて構成されている。
【００３３】
フロントドア２の中央には、表示窓４が設けられている。表示窓４は、正面から見て筐体内に配した３つのリールに重畳する手前側に位置するように設けられている。
【００３４】
つまり、表示窓４の表示領域は、３つのリールに対する表示窓としての機能を果たすものであり、その背後に設けられた各リールの回転及びその停止の動作が遊技者側から視認可能となる。
【００３５】
表示窓４の表示領域は、その背後に設けられた各リールの回転がそれぞれ停止されたとき、各リールの表面に配された複数種類の図柄のうち、その枠内における上段、中段及び下段の各領域にそれぞれ１個の図柄（合計で３個）を表示する。また、各リールを表示する表示領域における上段、中段及び下段からなる３つの領域のうち予め定められた何れかをそれぞれ組合せてなる擬似的なラインを、入賞か否かの判定を行う対象となるライン（入賞判定ライン）として定義する。
【００３６】
本実施形態では、表示窓４の各領域における上段を組合せてなるトップライン、各領域の中段を組合せてなるセンターライン、各領域の下段を組合せてなるボトムライン、左側に位置する左側領域の上段、中央に位置する中央領域の中段及び右側に位置する右側領域の下段を組合せてなるクロスダウンライン、左側領域の下段、中央領域の中段及び右側領域の上段を組合せてなるクロスアップラインの５つを入賞判定ラインとして設けている。
【００３７】
フロントドア２には、遊技者による操作の対象となる各種装置が設けられている。台座部右側に配されているメダル投入口１５は、遊技者によって外部から投下されるメダルを受け入れるために設けられる。メダル投入口１５に受け入れられたメダルは、所定枚数（例えば３枚）を上限として１回の遊技に投入されることとなり、所定枚数を超えた分はパチスロ機１内部に預けることが可能となる（いわゆるクレジット機能）。
【００３８】
台座部左側に配されているベットボタン１３は、パチスロ機１内部に預けられているメダルから１回の遊技に投入する枚数を決定するために設けられる。精算ボタン１４は、パチスロ機１内部に預けられているメダルを外部に引き出すために設けられる。
【００３９】
台座部左側に配されているスタートレバー６は、全てのリールの回転を開始するために設けられる。ストップボタン７は、３つのリールのそれぞれに対応づけられており、対応するリールの回転を停止するために設けられる。
【００４０】
表示窓４の上方には、演出用表示装置１０が設けられており、演出内容に応じて様々な演出表示を行わせることができる。例えば、液晶表示装置や装飾パネルなどから構成できる。表示窓４の左右には、演出効果を高めるための蛍光管１１が配されている。
【００４１】
表示窓４の下方かつ台座部の上方には、図柄組合せ及びメダルの配当枚数等を表示する配当表示パネル２３が配設されている。配当表示パネル２３の下方側におけるベットボタン１３の右側には、７セグ表示器１２が配されている。７セグ表示器１２は、７セグメントＬＥＤからなり、今回の遊技に投入されたメダルの枚数（以下、投入枚数）、特典として遊技者に対して払い出すメダルの枚数（以下、払出枚数）、パチスロ機１内部に預けられているメダルの枚数（以下、クレジット枚数）等の情報を遊技者に対してデジタル表示する。
【００４２】
また、配当表示パネル２３の左右及び台座部の下方には、演出等の音響効果を高める一対のスピーカ２１がそれぞれ設けられている。また、台座部の下方には、機械名称やキャラクタの図柄を表示する腰部パネル２５が設けられている。なお、腰部パネル２５下方には、メダル払出口１６が設けられており、メダル払出口１６は、後述のメダル払出装置の駆動により排出されるメダルを外部に導く。メダル払出口１６から排出されたメダルは、メダル受皿１７に貯められる。
フロントドア２における演出用表示装置１０の後方側には、副制御回路基板５６を収納した副制御基板ケース１２０が取り付けられている。
【００４３】
［パチスロ機の内部構成］
図３には、本実施形態におけるパチスロ機１のフロントドア２の裏面側における構造を示している。
なお、図示せぬ筐体内部には、主制御回路基板５５（図４参照）が設けられている。主制御回路基板５５は、内部当選役の決定、各リールの回転及び停止、入賞の有無の判定といった、パチスロ機１における遊技の主な流れを制御する回路基板である。
筐体内部の中央には、３つのリールが設けられており、各リールのそれぞれには、所定の減速比をもったギアを介してステッピングモータが接続されている。
【００４４】
また、筐体内部の下方には、多量のメダルを収容可能で、それらを１枚ずつ排出可能な構造を有するメダル払出装置や各装置に対して必要な電力を供給するための電源装置が設けられている。
【００４５】
フロントドア２の裏側の上部には、副制御基板ケース１２０内に収納された副制御回路基板５６（図４参照）が設けられている。副制御回路基板５６は、ランプや蛍光管１１の点消灯、音声の発生、映像の表示等による演出の実行を制御する回路基板である。なお、副制御回路基板５６の具体的な構成は後述する。
【００４６】
図３に示すように、フロントドア２の裏側の中央部位であって、表示窓４の下方には、セレクタ５１が設けられている。セレクタ５１は、材質や形状等が適正であるメダルか否かを選別する装置であり、メダル投入口１５に受け入れられた適正なメダルを筐体側に設けたメダル払出装置へ案内する。尚、セレクタ５１内においてメダルが通過する経路上には、後述のメダルセンサ５０（図４参照。）が設けられており、適正なメダルが通過したことを検出する。
【００４７】
［各基板の構成］
次に、図４を参照して、本実施の形態におけるパチスロ機１の筐体３及びフロントドア２に搭載される各基板の構成について説明する。本実施形態におけるパチスロ機１は、主制御回路基板５５、副制御回路基板５６、ドア中継基板６２、副制御回路基板５６用の中継基板１２６、外部集中端子板６３、及びその他の周辺装置を備える。
【００４８】
（主制御回路基板）
主制御回路基板５５は、回路基板上に設置されたマイクロコンピュータを主たる構成要素としている。マイクロコンピュータは、ＣＰＵ（以下、メインＣＰＵ）、ＲＯＭ（以下、メインＲＯＭ）、ＲＡＭ（以下、メインＲＡＭ）、Ｉ／Ｏ、通信回路等により構成される。
【００４９】
メインＲＯＭには、メインＣＰＵにより実行される制御プログラム、内部抽選テーブル等のデータテーブル、副制御回路基板５６に対して各種制御指令（コマンド）を送信するためのデータ等が記憶されている。メインＲＡＭには、制御プログラムの実行により決定された内部当選役等の各種データを格納する格納領域が設けられる。
【００５０】
主制御回路基板５５のメインＣＰＵには、クロックパルス発生回路、分周器、乱数発生器及びサンプリング回路等が接続されており、メインＣＰＵは、発生されたクロックパルスに基づいて、制御プログラムを実行する。乱数発生器は、予め定められた範囲の乱数（例えば、０〜６５５３５）を発生し、サンプリング回路は、発生された乱数の中から１つの値を抽出して、遊技に関する抽選処理を行う。
【００５１】
主制御回路基板５５は、電力を供給する電源装置５４と電気的に接続され、また、各リールの回転及び停止制御を行うリールモータ駆動回路３９、メダルの払い出し制御を行うメダル払出装置４３、ドア中継基板６２、中継基板１２６等の各中継基板とは信号ケーブルによって接続されており、また、外部集中端子板６３を介して遊技場のホールコンピュータ等にも接続されている。
【００５２】
更に、主制御回路基板５５は、演出を目的として、ランプや演出用表示装置１０、又は音声発生装置等の制御を実行する副制御回路基板５６に対して、メダルの投入、スタートレバー６の操作、ストップボタン７の操作、内部当選役、表示役、遊技状態等の各種の情報を送信する。
【００５３】
ここで、主制御回路基板５５は直接、ドア中継基板６２に接続されている各入力手段の状態を読み取るとともに、リールモータ駆動回路３９、メダル払出装置４３等の周辺装置を制御し、貯留枚数表示器、役物回数表示器、払出枚数表示器、当たり表示器、その他の出力手段に対して表示情報を出力して遊技を進行する。
【００５４】
図４に示すように、主制御回路基板５５に接続されているドア中継基板６２には、パチスロ機１の操作部に配されている各種スイッチ等の信号ケーブルが接続されている。ドア中継基板６２に接続されているメダルセンサ５０は、メダル投入口１５に受け入れられたメダルが前述のセレクタ５１内を通過したことを検出する。
【００５５】
ドア中継基板６２に接続されているベットスイッチ１３Ｓは、ベットボタン１３が遊技者により操作されたことを検出する。また、スタートスイッチ６Ｓは、スタートレバー６が遊技者により操作されたことを検出する。
【００５６】
また、ストップスイッチ４６は、３つのストップボタン７のそれぞれが遊技者により押されたことを検出する。これらのスイッチ等の入力情報は、ドア中継基板６２から主制御回路基板５５に対して伝達される。主制御回路基板５５は、これらの入力情報に基づいて遊技を進行させ、リールモータ駆動回路３９、メダル払出装置４３等の周辺装置の動作を制御する。
【００５７】
リールモータ駆動回路３９は、リール毎に配されたステッピングモータの駆動を制御する。各リールにはリール位置検出回路が接続されており、このリール位置検出回路は、発光部と受光部とを有する光センサにより、リールが一回転したことを示すリールインデックスを検出する。
【００５８】
各リールを回転させるステッピングモータの駆動力は、所定の減速比をもったギアを介してリールに伝達される。ステッピングモータに対して１回のパルスが出力されるごとに、リールは一定の角度で回転する。
【００５９】
主制御回路基板５５のメインＣＰＵは、リールインデックスを検出してからステッピングモータに対してパルスを出力した回数をカウントすることによって、リールの回転角度（主に、リールが図柄何個分だけ回転したか）を管理し、リールの表面に配された各図柄の位置を管理するようにしている。
【００６０】
メダル払出装置４３には、メダル検出部が配されており、払い出しを行うメダルの数量を検出して、メダル払出装置４３から外部に排出されたメダルが払出枚数に達したか否かをチェックすることができる。
【００６１】
（外部集中端子板）
筐体の内部には主制御回路基板５５から各種信号が入力される外部集中端子板６３が設置されている。外部集中端子板６３の光信号入力端子には、主制御回路基板５５からのメダルの投入／払い出し枚数、遊技回数、ボーナスの入賞情報等の信号が介して入力される。また、外部集中端子板６３の光信号出力端子からは、それらの信号を遊技場のホールコンピュータ８０に出力する。
【００６２】
（副制御回路基板）
副制御回路基板５６は、中継基板１２６を介して主制御回路基板５５と一方向の通信により接続されており、主制御回路基板５５から送信されるコマンドに基づいて演出内容の決定や実行等の処理を行う。副制御回路基板５６は、基本的に、ＣＰＵ（以下、サブＣＰＵ）、ＲＯＭ（以下、サブＲＯＭ）、ＲＡＭ（以下、サブＲＡＭ）、レンダリングプロセッサ、描画用ＲＡＭ、ドライバ、ＤＳＰ（デジタルシグナルプロセッサ）、オーディオＲＡＭ及びＡ／Ｄ変換器及びアンプを含んで構成されている。
【００６３】
副制御回路基板５６のサブＣＰＵは、主制御回路基板５５から送信されたコマンドに応じて、サブＲＯＭに記憶されている制御プログラムに従い、映像、音、光の出力の制御を行う。サブＲＡＭは、決定された演出内容や演出データを登録する格納領域や、主制御回路基板５５から送信される内部当選役等の各種データを格納する格納領域が設けられている。サブＲＯＭは、基本的に、プログラム記憶領域とデータ記憶領域によって構成される。
【００６４】
プログラム記憶領域には、サブＣＰＵが実行する制御プログラムが記憶されている。例えば、制御プログラムには、主制御回路基板５５との通信を制御するための主基板通信タスクや、演出用乱数値を抽出し、演出内容（演出データ）の決定及び登録を行うための演出登録タスク、決定した演出内容に基づいて演出用表示装置１０による表示を制御する描画制御タスク、ランプによる光の出力を制御するランプ制御タスク、スピーカ２１による音の出力を制御する音声制御タスク等が含まれる。
【００６５】
副制御回路基板５６には、その動作が制御される周辺装置として、演出用表示装置１０、スピーカ２１及びサウンド基板１１０、ランプ基板５８、下皿ＬＥＤ基板６１等が接続されている。
【００６６】
副制御回路基板５６のサブＣＰＵ、レンダリングプロセッサ、描画用ＲＡＭ（フレームバッファを含む）及びドライバは、演出内容により指定されたアニメーションデータに従って映像を作成し、作成した映像を演出用表示装置１０に伝達して表示する。
【００６７】
また、副制御回路基板５６のサブＣＰＵ、ＤＳＰ、オーディオＲＡＭ、Ａ／Ｄ変換器及びアンプは、演出内容により指定されたサウンドデータに従ってＢＧＭ等の音をスピーカ２１により出力する。また、サブＣＰＵは、演出内容により指定された音声情報のコマンドをサウンド基板１１０に送信する。当該音声情報のコマンドを受信したサウンド基板１１０は、コマンドを解析して、ＤＳＰ、オーディオＲＡＭ、Ａ／Ｄ変換器及びアンプ等により音声信号を生成して、下部に配したスピーカ２１及び配当表示パネル２３の左右に配したスピーカ２１から音声を出力する。
【００６８】
また、副制御回路基板５６のサブＣＰＵは、演出内容により指定されたランプデータに従ってランプや蛍光管１１の点灯及び消灯や点滅を行う。ランプ基板５８は、副制御回路基板５６から受信した指令に基づいて、主に図１に示すパチスロ機１の前面上部の表示窓４の側方に配されている多数のランプや蛍光管１１の点灯や消灯や点滅のパターンを切り替えることができる。副制御回路基板５６は、ランプや蛍光管１１の点消灯に関する演出内容に応じたコマンドをランプ基板５８に送信する。
【００６９】
ランプ基板５８が当該コマンドを受信すると、ランプ基板５８では蛍光管１１や多数配置されているランプの点灯及び消灯を個々に制御して、点灯状態の移動、点灯状態の回転、ストロボ状の発光、その他の点消灯のパターンにてそれぞれ発光させる。
【００７０】
［光ファイバーケーブル］
上述したように、パチスロ機１を構成する主制御回路基板５５、副制御回路基板５６、中継基板１２６、ドア中継基板６２、外部集中端子板６３、ホールコンピュータ８０及びその他の周辺装置は、必要な情報を入出力するために相互間を通信ケーブルで接続されている。従来のパチスロ機では通信ケーブルとして電気ケーブルが用いられているが、本実施形態では通信ケーブルとして光ファイバーケーブル９０が用いられる。
【００７１】
光ファイバーケーブル９０は、セキュリティ機能が高く、外部からの不正な電磁気的又は機械的手段に対し安全性が高い。すなわち、従来の電気ケーブルでは、電磁波や電気信号印加による不正行為又は配線の付け替え等の不正行為を防止することは困難であったが、光ファイバーケーブルではそのような不正行為を未然に抑止することが可能である。
【００７２】
本実施形態では、図４に示すように、主制御回路基板５５の光信号出力端子と外部集中端子板６３の光信号入力端子は光ファイバーケーブル９０で接続され、同様に副制御回路基板５６の中継基板１２６と主制御回路基板５５との間、外部集中端子板６３とホールコンピュータ８０との間、主制御回路基板５５とドア中継基板６２との間は、それぞれに設けられた光信号入力／出力端子を介して光ファイバーケーブル９０で接続されている。
【００７３】
主制御回路基板５５、副制御回路基板５６及び各種基板内で電気的に処理された電気信号は各機器内で電気・光信号変換器により光信号に変換され（図示せず）、光信号出力端子を介して光ファイバーケーブル９０に伝送される。また、他の機器から光ファイバーケーブル９０と光信号入力端子とを介して入力された光信号は、当該機器内で光・電気信号変換器により電気信号に変換され（図示せず）電気的に処理される。
【００７４】
なお、光ファイバーケーブル９０はその他の周辺機器、例えば、メダルセンサ５０、ベットスイッチ１３Ｓ等とドア中継基板６２との間、及び主制御回路基板５５とメダル排出装置４３との間の接続にも適宜用いることができる。
【００７５】
また、本実施形態では、外部集中端子板６３は外部集中端子板６３の光信号入力端子に入力された光信号を電気信号変換しているが、これに限定されず、入力された光信号を光学的に処理（増幅、分岐、等）した上、光信号のままで光信号出力端子からホールコンピュータ８０へ出力するように構成してもよい。
【００７６】
［副制御基板ケース、中継基板カバー］
次に、図５乃至図１０を用いて、副制御基板ケース１２０上に配置された中継基板１２６（図７参照）を覆う中継基板カバー１３０の取付構成について説明する。この場合、副制御基板ケース１２０が、中継基板カバー１３０に対する基台として機能している。図２に示すように、副制御基板ケース１２０は、フロントドア２の裏面上部に配設されており、内部に副制御回路基板５６（図４参照）を収納している。図５に示すように、副制御基板ケース１２０には、光ケーブルコネクタ１２５等を実装した中継基板１２６（図７参照）を覆う中継基板カバー１３０が取り付けられている。
【００７７】
副制御基板ケース１２０上には、ロムカートリッジカバー１７０等も取り付けられている。図５、図１０に示すように、副制御基板ケース１２０は、フロントドア２の裏面に取付けるベース部材１７７上に固定ネジ１７５を介して固定されている。固定ネジ１７５としては、中継基板カバー１３０を副制御基板ケース１２０に固定するとともにベース部材１７７に固定する固定手段としても用いられている。
【００７８】
図６に示すように、中継基板カバー１３０は、固定ネジ１７５によって、副制御基板ケース１２０とベース部材１７７（図１０参照）とに固定されている。固定ネジ１７５は、固定する部位に応じてネジ径を異ならせて構成することも、同じネジ径を用いて構成しておくこともできる。図示例では、同じ規格の固定ネジ１７５を用いた構成を示している。
【００７９】
中継基板カバー１３０を副制御基板ケース１２０に固定する構成としては、図８に示すように、中継基板カバー１３０の成型時に中継基板カバー１３０の周囲に一体的に成形した筒体部１３５を介した固定と、中継基板カバー１３０と一体的に成型されたフランジ部１３２を介しての固定と、が行われる。
【００８０】
筒体部１３５は、ケーブルを接続した基板を収納する基板カバーとしての中継基板カバー１３０の外周面の部位に一体的に締結されており、外周面から外方に膨出した形状に形成されている。そして、筒体部１３５を介して中継基板カバー１３０を副制御基板ケース１２０上に固定することができる。また、フランジ部１３２は、副制御基板ケース１２０から外方に突出した形状に形成されており、図７に示すように副制御基板ケース１２０から外方に突出したフランジ部１２２との間で固定することができる。
【００８１】
図８に示すように、中継基板カバー１３０と接合部１３９によって結合された一対の筒体部１３５には、筒体部１３５の高さ方向に沿った内筒穴１３７が形成されており、内筒穴１３７の底面１３７ａの中央には、固定ネジ１７５を挿通させる第１ネジ孔１３１が形成されている。
【００８２】
筒体部１３５を介しての副制御基板ケース１２０との固定は、内筒穴１３７の底面１３７ａと副制御基板ケース１２０の上面との間を、固定ネジ１７５で締結することにより行うことができる。固定ネジ１７５で締結するため、図７に示すように、副制御基板ケース１２０の上面には、固定ネジ１７５が螺合する第１ネジ取付穴１２１が、一対の筒体部１３５の形成位置に対応させて形成している。
【００８３】
図８に示すように、内筒穴１３７の内部には、内筒穴１３７の内周面の周方向に沿って形成した複数の係合凹部１３６が形成されている。係合凹部１３６は、内筒穴１３７内の固定ネジ１７５に対して不正に接触することができないようにするための封止キャップ１６０（図５、図６参照）を係合させるものであって、不正行為によって係合した封止キャプ１６０が内筒穴１３７から外されないようにするための構成として形成されている。
【００８４】
係合凹部１３６の形成個数としては、２個以上の複数個形成しておくことができる。しかし、係合凹部１３６に係合させる後述する封止キャップ１６０の係合状態を安定させ、不正行為によって封止キャプ１６０が内筒穴１３７から外されないようにするためには、係合凹部１３６の形成個数としては、３個以上に形成しておくことが望ましい構成になる。
【００８５】
ただし、係合凹部１３６の形成個数を２個とした場合であっても、内筒穴１３７の内周面の周方向に幅広の係合凹部１３６を形成し、この係合凹部１３６に係合する封止キャップ１６０の係合フック１６３の横幅を広く構成しておくことにより、封止キャップ１６０の取り外しを行い難くすることもできる。
【００８６】
複数形成した係合凹部１３６のうち少なくとも一つの係合凹部１３６は、筒体部１３５と中継基板カバー１３０との接合部１３９側に形成されている。また、残りの係合凹部１３６のうち少なくとも一つの係合凹部１３６を、筒体部１３５の周囲における狭窄空間側に形成しておくこともできる。例えば、図５のロムカートリッジカバー１７０側に係合凹部１３６を形成しておくことができる。
【００８７】
このように係合凹部１３６を構成しておくことにより、係合凹部１３６に係合させる封止キャップ１６０の取り外しを困難な状況下に置いておくことができる。封止キャップ１６０によって、筒体部１３５に形成した内筒穴１３７を塞ぐことができ、内筒穴１３７内の固定ネジ１７５への接続を防止するために用いられている。
【００８８】
図９に示すように、封止キャップ１６０の裏面には、円筒状の補強部１６４が設けられており、補強部１６４から延設された形で複数の弾性変形可能な脚部１６２が構成されている。各脚部１６２の自由端側には、外向きに突出した係合フック１６３が形成されており、係合フック１６３は、内筒穴１３７に形成した複数の係合凹部１３６とそれぞれ弾性的に係合することができる。
【００８９】
また、封止キャップ１６０の頭部における外周面形状は、内筒穴１３７の内周面形状に倣って形成されており、内筒穴１３７に嵌入した封止キャップ１６０と内筒穴１３７との間に隙間が形成されないように構成している。また、封止キャップ１６０の上面１６０ａには、中継基板カバー１３０や副制御基板ケース１２０を構成している基板の色とは異なる色に着色されており、封止キャップ１６０が一目で目立つように、例えば、赤色等で着色しておくことができる。
【００９０】
封止キャップ１６０で筒体部１３５の内筒穴１３７を塞いだ状態を図５に示している。封止キャップ１６０の上面１６０ａ（図９参照）は、筒体部１３５の端部上面１３５ａと面一状態か、端部上面１３５ａよりも下方に位置した状態になるように、封止キャプ１６０は内筒穴１３７の係合凹部１３６に係合している。
【００９１】
本実施形態では、筒体部１３５側による固定構造以外にも、中継基板カバー１３０を副制御基板ケース１２０に固定する固定構造が採用されている。そこで、図６乃至図８、図１０を用いて中継基板カバー１３０を副制御基板ケース１２０とともにベース部材１７７に固定する構成について説明する。
【００９２】
このための構成として、中継基板カバー１３０には、フランジ部１３２が形成されている。フランジ部１３２に対向した副制御基板ケース１２０の部位には、フランジ部１２２（図７参照）が形成されている。
【００９３】
図８に示すように、フランジ部１３２には、凹部１３４が形成されており、凹部１３４の底面１３４ａには、固定ネジ１７５を挿通させる第２ネジ孔１３３が形成されている。また、図７に示すように、副制御基板ケース１２０のフランジ部１２２には、第２ネジ孔１３３を挿通した固定ネジを螺合させる第２ネジ取付孔１２３が形成されている。また、図１０に示すように、第２ネジ取付孔１２３に螺合した固定ネジ１７５は、ベース部材１７７に形成したネジ取付穴に螺合させることができる。これにより、中継基板カバー１３０を副制御基板ケース１２０に固定するとともに、ベース部材１７７に固定することができる。
【００９４】
なお、上記説明では、副制御基板ケース１２０のフランジ部１２２に第２ネジ取付孔１２３を形成した構成について説明を行ったが、第２ネジ取付孔１２３を固定ネジ１７５の挿通孔として形成しておき、固定ネジ１７５がベース部材１７７に形成したネジ取付穴に螺合させる構成にしておくこともできる。また、固定ネジ１７５を螺合させる螺合部をネジ取付穴を、袋小路のような行き止まりを有する穴として形成しておくことも、貫通孔として形成しておくこともできる。固定ネジ１７５をベース部材１７７のネジ取付穴に螺合させた構成のときは、中継基板カバー１３０を固定する基台としては、副制御基板ケース１２０とベース部材１７７とが用いられることになる。
【００９５】
フランジ部１２２とフランジ部１３２とを固定した固定ネジ１７５は、封印バンド１４０（図８参照）によって、固定ネジ１７５が外部に露呈しないように遮蔽されている。フランジ部１３２の構成としては、図８に示すように、封印バンドベース１４３を備えた構成としておくこともできる。そして、封印バンド１４０は、フランジ部１３２の凹部１３４に装着される封印バンドベース１４３と、バンド部１４１と、第２ネジ取付孔１２３（図７参照）を覆うキャップカバー１４２とを有する構成になっている。
【００９６】
図８に示すように、封印バンドベース１４３には、凹部１４４が形成されている。凹部１４４の底面１４４ａには、固定ネジ１７５によって封印バンドベース１４３を中継基板カバー１３０及び副制御基板ケース１２０に固定するためのネジ孔１４４ｂが形成されている。図１０に示すように、ネジ孔１４４ｂを通した固定ネジ１７５を第２ネジ取付孔１２３（図７も参照）に螺合させることで、封印バンドベース１４３を中継基板カバー１３０の凹部１３４内に取付けた状態で、中継基板カバー１３０を副制御基板ケース１２０とベース部材１７７とに固定することができる。
【００９７】
図８に戻って説明を続けると、キャップカバー１４２には、バンド部１４１の締結箇所であるヘッド１４１ａを収納する内部空間が形成されており、キャップカバー１４２の側面には、ヘッド１４１ａを側面側から内部空間内に収納する開口が形成されている。
【００９８】
キャップカバー１４２内に収納されたバンド部１４１は、ストラップ部とも呼ばれるバンド１４１ｂの端部を固定したヘッド１４１ａと、バンド１４１ｂの他端部側のテール１４１ｃとを備えた構成になっている。バンド１４１ｂの裏面には、セレーションと呼ばれるギザギザ部が形成されている。また、ヘッド１４１ａ内には、爪が形成されており、テール１４１ｃをヘッド１４１ａ内に挿通した際には、爪はバンド１４１ｂの裏面に形成したギザギザ部に対するラチェット機能を奏して、バンド１４１ｂの抜け止めを行うことができる。
【００９９】
封印バンドベース１４３及びキャップカバー１４７には、バンド部１４１のテール１４１ｃを挿通させる開口が形成されている。図１０に示すように、キャップカバー１４７の裏面側には、封印バンドベース１４３の凹部１４４内に嵌入できる突出部が形成されており、バンド部１４１のテール１４１ｃを開口から突出させた状態で収納したキャップカバー１４７を、キャップカバー１４７の突出部を封印バンドベース１４３の凹部１４４内に嵌入させる。
【０１００】
この状態から、バンド部１４１のテール１４１ｃを封印バンドベース１４３の開口を通して、ヘッド１４１ａ内に挿入する。そして、ヘッド１４１ａを通り抜けたテール１４１ｃを更に引き抜くことにより、キャップカバー１４７とバンド部１４１とを封印バンドベース１４３に締結させることができる。締結状態は、ヘッド１４１ａ内の爪とバンド１４１ｂ裏面のギザギザ部との係合により維持されることになる。
【０１０１】
そしてこの状態において、封印バンドベース１４３を副制御基板ケース１２０やベース部材１７７に固定している固定ネジ１７５は、キャップカバー１４２によって、外部から視認できない状態におくことができる。
【０１０２】
このように、中継基板カバー１３０は、封止キャップ１６０によって固定ネジ１７５の固定箇所が封止されており、また、封印バンド１４０によって、副制御基板ケース１２０に形成したフランジ部１２２と中継基板カバー１３０に形成したフランジ部１３２との締結状態は、封印バンド１４０によって、封印した状態にできる。
【０１０３】
このように、封止キャップ１６０と封印バンド１４０とを用いた構成により、中継基板カバー１３０を不正に開放するのを防止しておくことができる。また、不正に中継基板カバー１３０を開放するためには、封印バンド１４０を切断しなければならず、封印バンド１４０の状態を確認することで、中継基板カバー１３０が不正に開放したことを簡単に確認することができる。
【０１０４】
封印バンド１４０としては、副制御基板ケース１２０がベース部材１７７から不正に開放されたのを確認するためのものとして、図５に示す封印バンド１４５を構成しておくこともできる。また、ロムカートリッジカバー１７０と副制御基板ケース１２０との固定状態を確認するため、封印バンド１５０を取り付けておくこともできる。
【０１０５】
図６に示すように、封印バンド１４５の構成は、封印バンド１４０と同様に構成されており、バンド部１４６、キャップカバー１４７、封印バンドベース１４８とを備えた構成になっている。そして、図１０に示すように、キャップカバー１４７内に収納したバンド部１４６のテールをキャップカバー１４７と封印バンドベース１４８との掛け回すことにより、封印状態を構成することができる。
【０１０６】
副制御基板ケース１２０をベース部材１７７上に取付けた状態を封印するため、封印シール１５５を貼り付けておくことができる。このように、二重にも三重にも封印状態を確認できる構成にしておくことにより、よりセキュリティ性能を高めた遊技機を構成することができる。
【０１０７】
以上の実施形態の説明では、副制御基板ケース１２０上に中継基板カバー１３０を固定する構成について説明を行ったが、本発明はこの構成に限定されるものではない。例えば、副制御回路基板の側方に配した中継基板を覆う中継基板カバーに対して、本発明を適用することができる。また、中継基板としては、一方向から各種信号が入力される中継基板に限定されるものではなく、各種信号が双方向で入出力される中継基板を用いることができ、この種の中継基板を覆う中継基板カバーに対しても、本発明を適用することができる。
【０１０８】
更には、中継基板を覆う中継基板カバー以外であっても、例えば、主制御回路基板や副制御回路基板を含むあらゆる種類の基板を覆う基板カバーに対しても、本発明を適用することができる。
そのため、発明の要旨を逸脱しない範囲で、種々の変更等を行うことができる。これらの変更等を行った実施形態やその変形は、発明の範囲や要旨に含まれている。
【符号の説明】
【０１０９】
２…フロントドア、５５…主制御回路基板、５６…副制御回路基板、６２…ドア中継基板、６３…外部集中端子板、９０…光ファイバーケーブル、１２０…副制御基板ケース（基台）、１２１…第１ネジ取付穴、１２２…フランジ部、１２３…第２ネジ取付穴、１２５…光ケーブルコネクタ、１２６…中継基板、１３０…中継基板カバー、１３２…フランジ部、１３４…凹部、１３５…筒体部、１３６…係合凹部、１３７…内筒穴、１３９…接合部、１４０…封印バンド、１４１…バンド部、１４２…キャップカバー、１４３…封印バンドベース、１４４…凹部、１４４ａ…底面、１４４ｂ…孔、１４５…封印バンド、１５０…封印バンド、１５５…封印シール、１６０，１６１…封止キャップ、１６０ａ…上面、１６２…脚部、１６３…係合フック、１６４…補強部、１７７…ベース部材。
【図１】
2018061911.tif 000003
【図２】
2018061911.tif 000004
【図３】
2018061911.tif 000005
【図４】
2018061911.tif 000006
【図５】
2018061911.tif 000007
【図６】
2018061911.tif 000008
【図７】
2018061911.tif 000009
【図８】
2018061911.tif 000010
【図９】
2018061911.tif 000011
【図１０】
2018061911.tif 000012